(57)【要約】　　　（修正有）【課題】すでに購入した携帯端末を変えることなく、きわめて有利な通話料金で電話網に接続できる携帯端末システムを提供する。【解決手段】競争力に富んだ料金で通話サービスを提供するキャリアに転送するソフトウエア入力済みロムチップを、携帯端末の外部接続基端に挿入接続する情報処理の技術的手段と通信ビジネスの方法。【選択図】図１
2004056749.tif 000002
【特許請求の範囲】
【請求項１】
携帯電話機から発呼して携帯電話、固定電話、ＰＨＳ各電話機へ着呼するプログラム入力済みの〈読み出し専用記憶媒体〉を、携帯電話機の外部接続基端に挿入、接続させることを特徴とする情報処理の技術的手段。
【請求項２】
携帯電話と、携帯電話、固定電話、ＰＨＳ各電話網との間の、中継サービスを提供する電気通信事業者の使用するホストコンピューターに、請求項１記載の携帯電話機の発呼情報を転送することを特徴とする情報処理の技術的手段。
【請求項３】
簡易型携帯電話（ＰＨＳ）機から発呼して携帯電話、固定電話、ＰＨＳ　各電話機へ着呼するプログラム入力済みの〈読み出し専用記憶媒体〉を、簡易型携帯電話（ＰＨＳ）機の外部接続基端に挿入、接続させることを特徴とする情報処理の技術的手段。
【請求項４】
簡易型携帯電話（ＰＨＳ）と、携帯電話、固定電話、ＰＨＳ　各種電話網と間の、中継サービスを提供する電気通信事業者が使用するホストコンピューターに、請求項３記載の簡易型携帯電話（ＰＨＳ）機の発呼情報を転送することを特徴とする技術的手段。
【請求項５】
請求項２又は請求項４記載の電気通信事業者に、日本国外の電気通信事業者及び日本国内の携帯端末電話番号の事業者コードを持たない電気通信事業者を当てることによって、携帯電話、ＰＨＳの料金システムに価格競争を惹起させる方法を特徴とする通信ビジネスの技術的手段。
【発明の詳細な説明】
【０００１】
【発明の属する技術分野】電気通信技術と情報処理技術のビジネスモデル。
【０００２】
【従来の技術】
携帯通話割引のサービスプログラム入力済みのモジュールを機内に組み込んだ携帯電話機。
【０００３】
【発明が解決しようとする課題】
すでに購入した携帯端末を変えることなく、有利な通話料金の電話網に選択的に接続できる通信ビジネスの方法。
【０００４】
【課題を解決するための手段】
携帯電話システムとは、各地に設置された基地局を結ぶ通信網と通話の管理を行う装置群の総称である。その最上位にいくつかの基地局をまとめた基地局グループがあり、グループシステムごとに、各加入者のデータを収めたデータベースがあり、位置情報の登録が逐次更新されている。該利用者が相手先の電話番号を指定すると、携帯電話機の発呼チャネルから携帯電話システムの基地局に、さらに基地局からＩＰ（インターネットプロトコル）サポートなしに携帯電話システムのゲートウェイに発呼される。このゲートウェイでＩＰ変換され、ＩＰヘッダを付けて、請求項２記載の通信サービスを提供する電気通信事業者側のホストコンピューターに転送される。そして該ホストコンピューターは、着呼先の電話番号、携帯端末の電話番号あるいは暗証番号、識別番号などの情報を認識・識別し、必須の情報処理を付加した後、携帯電話網、ＩＰ電話に接続する公衆網、ＰＨＳ電話網等の電話網のいずれかに連呼し、網内の相手先の電話機に着呼する。なお、ＮＴＴ網依存型のＰＨＳ電話機から請求項４記載のホストコンピューターへの発呼は、ＰＨＳ電話機から基地局へ、基地局から交換機に、交換機から光ファイバーを幹線とするＩＳＤＮ（総合デジタル通信網）へ被着し、請求項４記載のＩＰアドレスに転送される。ことにＮＴＴ網接続型のＰＨＳ電話機からホストコンピューターへの発呼は、ＰＨＳ電話機から基地局へ、基地局から交換機に、交換機からゲートウェィを介してＩＳＤＮや公衆網に被着し、請求項４記載のＩＰアドレスに転送される。
課題を解決する新技術は、前述の通信インフラを基盤として構築される。その基本的技術の特徴は以下のようである。
該発明は、競争力に富んだ料金で中継サービスを提供する、携帯電話と各種電話網との間を中継するキャリア側のホストコンピューターへログインする、前記プログラム入力済み〈読み出し専用記憶媒体〉（以下、読み出し専用記憶媒体をロムチップと呼称）を、携帯端末の外部接続基端に挿入接続する技術的手段を用いる。ロムチップのバージョンには、ＩＣモジュール形態のロムチップ、磁気モジュール形態のロムチップの実施例を含み、ひとつの端末に複数のロムチップが立設される実施例を除かない。
請求項１、３記載のロムチップには、プログラムの開始あるいは終了の、いずれかに切り替えることができるスイッチが立設される。ロムチップを使用するときはロムチップに取り付けられたスイッチをＯＮにし、使用後はスイッチをＯＦＦにする。スイッチの増設で、転送ポートの切り替えができる。また、該ロムチップには、携帯端末のアドレス帳のメモリや発信歴や着信履歴のメモリから相手先を選んでダイヤルできる技術的手段が立設される。
さらに、通話料後払いのため使用時間ごとに課金データなどの個別情報を、認証手段を経て、該キャリア側から該利用者のコンピューターにオンラインで出力する技術的手段が、該ホストコンピューター側に立設される。その結果、該利用者が使用した携帯端末ごとに通話明細内訳（通話時間、相手先など）などの情報が該利用者に提供される。
【０００５】
【発明の実施の形態】
【０００６】
【実施例１】コールバックシステムを利用した携帯通話モデル。
コールバックは、もともと１ドル＝３６０円時代に、日本の商社マンが電話代を節約するために考え出した方法に原型がある。サラリーマンがアメリカに出張していると仮定する。日本の留守家族が、父親に用事があり電話するときは、父親に「電話して」とだけ言って電話を切る。そこで、父親は、アメリカから日本にかけ直す。それは、日本からの電話料金がアメリカのそれに比べて高いからである。そして、本格的に長い電話をアメリカの安い電話でゆっくり話しをする。これが、コールバック（呼び返し）の原型である。
その後、この料金の違いに目を付けたアメリカの企業が、世界一安いアメリカの電話回線を使って、外国人に国際電話をかけさせるビジネスモデルを考案し、コールバックを専門に取り扱う会社を作った。これらの会社が互いに競争し、料金もどんどん安くなっていった。
コールバックシステムは、アメリカのキャリア使用の光ファイバー網と最先端の電話交換技術を、大量、格安に借り受けることによって構築されている。そして、アメリカ側のホストコンピューターが、そのメインシステムを担っている。この情報処理システムへのログインによって、アメリカから相手先に電話するのと同じ状態になる。
コールバックの使用方法
１）アメリカ側キャリアへのアクセス用電話番号を呼び出す。呼び出し音が聞こえたら電話を切る。
２）アメリカ側キャリア使用のコンピューターが利用者の電話番号を確認し、数秒で利用者の電話に折り返し電話をかけてくる。
３）受話器をとると発信音が聞こえるので、そのまま相手先にダイヤルする。
ホストコンピューターのアクセス番号へ被着して利用者の電話機にコールバックする、ソフト入力済みのロムチップを携帯電話機の接続端子に挿入接続することによって、１）〜３）のひと手間が省ける。
実施形態とその特徴
１、携帯電話端末の外部接続端子にロムチップを挿入接続する。
２．ロムチップにメモリされたプログラムによって、オートモードでホスト呼び返しが起動できるので、コールバックのひと手間が省ける。
３．該ロムチップは基本料別途支払い式プリペイドカードを兼ね、使い切りである。国内の携帯電話発呼の場合、きわめて有利な料金で長距離通話もカバーできる。該利用者は、次回の使用では該ロムチップの代わりに基本料別途支払い式プリペイドカードを購入して使用する。
４．該ロムチップを携帯電話の外部端子に挿入接続し、使用するときは該ロムチップのスイッチをＯＮにし、使用後は前記スイッチをＯＦＦにする。
５．ダイヤルできる相手先の電話番号は、ＰＨＳ、携帯電話、固定電話の国内の全番号であるが、使用電話番号は相手先に非通知される。ワン切りの迷惑電話に対するセキュリティ上、非通知電話をかけるのに適する。そのため、発信履歴や着信履歴から相手先を選んでダイヤルできるような技術的手段が立設される。
６．携帯電話にメモリさせたアドレス帳から相手先を選んでダイヤルできる。
７．使用した携帯端末ごとに通話明細内訳（通話時間、相手先など）をオンラインで確認するプログラムと情報が利用者に提供される。
【０００７】
【実施例２】非携帯電話系キャリアの中継サービスを利用するモデル
平成電電株式会社や東京通信ネットワーク株式会社は４区分のマイライン登録のできる総務省認可第１種電気通信事業者であるが、携帯端末電話番号の事業者コードをもたず、固定電話の発着呼を主たる通信サービス業務とする非携帯電話系のキャリアである。しかし、非携帯電話系のキャリアであるがゆえに、価格設定の自由度が携帯電話系キャリアよりも保証されており、競争力のある携帯通話の料金システムを設定できる。これら非携帯電話系キャリアが使用する携帯電話と各種電話網との中継サービスを担っている、ホストコンピューターに転送するロムチップのソフトウェアを立ち上げ、携帯電話機にこれを挿入接続して使用する。利用者は、オンラインショップで購入申し込みをした後、収納代行するコンビニエンスストア店頭でロムチップを受け取り、ロムチップの代金あるいはキャリアへの通話料支払いを代金決済する。
実施形態とその特徴
１、携帯電話端末の外部接続端子にロムチップを挿入接続する。
２．ロムチップにメモリされたプログラムによって、オートモードでキャリアのホストへの転送される。
３．ホストコンピューターが、電話番号やパスワードなど個別認証機能を備えている。これによって通話料金の後払い清算および相手先電話機へ番号通知ができる。
４．ロムチップを携帯電話の外部接続端子に挿入接続し、使用するときはロムチップのスイッチをＯＮにし、使用後はスイッチをＯＦＦにする。スイッチの増設で転送ポートの切り替えができる。たとえば、キャリアホストへの転送切り替えスイッチを前記スイッチに併設できる。
５．ダイヤルできる相手先の電話番号は、ＰＨＳ、携帯電話、固定電話の国内の全番号である。
６．携帯電話端末のアドレス帳や発信歴や着信履歴のメモリから相手先を選んでダイヤルできる。
７．使用した携帯端末ごとに通話明細内訳（通話時間、相手先など）をオンラインで確認するプログラムと情報が該利用者に提供される。
【０００８】
【発明の効果】
従来の技術では、携帯電話機の同機種継続使用が困難であったが、該ロムチップは、既存の携帯電話機に広く適合するので、携帯電話機の付加価値が高まる。その結果、固定電話の優先接続制度の導入が固定通話料金の引下げを誘発し、固定電話利用者と新電電事業者に利益を供与にしたように、携帯電話端末に国内外の複数のホストへの転送システムを立設することによってＰＨＳを含む携帯通話料金全体の引下げを誘発し、携帯電話、ＰＨＳの利用者とビジネス主催者に利益を供与する。この値下げリンク触発が、該ビジネスモデル発明の効果である。
【０００９】
【図面の簡単な説明】
【図１】電話網への転送システムの仕組み
【図１】
2004056749.tif 000003